(57)【特許請求の範囲】
【請求項１】
家屋の基礎コンクリートスラブと木製土台とを固定するための土台接合具であって、
前記木製土台の上面を覆い、両端に向かって漸次に肉薄になる上面板と、前記木製土台の側面を覆う側面板とが前記木製土台を片持ち状態で把持するように一体に形成された土台把持片と、
前記基礎コンクリートスラブの側壁に固定するスラブ固定片と、
これらを接続する連結具と、からなり、
前記土台把持片の少なくとも一側に設けた第１の折曲部と、前記スラブ固定片に設けた第２の折曲部とを、弾発付勢された連結具を介して接続固定したことを特徴とする家屋の土台接合具。
【請求項２】
土台把持片の両側面板に設けた第１の折曲部と、スラブ固定片に設けた第２の折曲部とを、弾発付勢された連結具を介して、各々を接続固定したことを特徴とする請求項１記載の家屋の土台接合具。
【請求項３】
連結具は、弾発スプリングを介装したボルトとナット、又は弾発スプリングを介装したリベットから構成されることを特徴とする請求項１又は２記載の家屋の土台接合具。
【発明の詳細な説明】
【０００１】
【発明の属する技術分野】
本発明は、地震等により家屋が大きな衝撃振動を受けても損壊しないように、家屋の土台に取り付けられる緩衝性を有する土台接合具に関するものである。
【０００２】
【従来技術とその課題】
家屋を支える基礎及びこの基礎上に取り付けられる土台は、家屋の荷重を支持すると共にこれを地盤に伝える役目を有する構造部分であって、従来、例えば図８に示すように、割ぐり石５１の上にコンクリートスラブよりなる布基礎５２が敷設され、この布基礎５２上に木製土台５３を乗せ、両者間をアンカーボルト５４等で締結固定することが一般的な基礎打ち工法として知られている。
【０００３】
上記の基礎打ち工法によれば、布基礎５２と木製土台５３間がアンカーボルト５４等で融通性なく固着されているので、地震等で家屋に強い衝撃振動が加わると、その衝撃が直接的に布基礎５２に付加され、硬くて衝撃に脆いコンクリートスラブよりなる布基礎５２は損壊を受け易いという問題がある。
【０００４】
【発明が解決しようとする課題】
本発明は、上記布基礎５２と木製土台５３からなる構造部分に見られるような課題を解決すべく為されたものであって、地震等により家屋に強い衝撃振動が付加しても家屋の損壊を防止できるように、緩衝性を有する改良された土台接合具を提供せんとするものである。
【０００５】
【課題を解決するための手段】
本発明は、家屋の基礎コンクリートスラブと木製土台とを固定するための土台接合具であって、前記木製土台の上面を覆い、両端に向かって漸次に肉薄になる上面板と、前記木製土台の側面を覆う側面板とが前記木製土台を片持ち状態で把持するように一体に形成された土台把持片と、前記基礎コンクリートスラブの側壁に固定するスラブ固定片と、これらを接続する連結具と、からなり、前記土台把持片の少なくとも一側に設けた第１の折曲部と、前記スラブ固定片に設けた第２の折曲部とを、弾発付勢された連結具を介して接続固定したことを特徴とするものである。
【０００６】
【発明の実施の形態】
以下、本発明の好適な実施形態について、図面に基づき具体的に説明する。
図１は本発明の土台接合具の一実施例を示す斜視図、図２は図１の土台接合具を分解した状態を示す斜視図、図３、図４は本発明の土台接合具の他実施例を示す斜視図、図５は連結具の一例を示す断面図、図６は連結具の他例を示す断面図、図７は本発明の土台接合具の他実施例を示す断面図である。
【０００７】
本発明は、図示したように、家屋の基礎コンクリートスラブＹと木製土台Ｘとを固定するための土台接合具１であって、この土台接合具１は、上記木製土台Ｘを覆う上面板１１１と側面板１１２とが交差して一体に形成される土台把持片１１と、上記基礎コンクリートスラブＹの側壁に固定するスラブ固定片１２と、これらを連結する連結具１３とからなり、上記土台把持片１１の少なくとも一側に設けた折曲部１１３と、上記スラブ固定片１２に設けた折曲部１２１間を、弾発付勢された連結具１３を介して接続固定した構成であることを特徴とするものである。
【０００８】
そして、上記土台把持片１１の折曲部１１３とスラブ固定片１２の折曲部１２１とを連結する連結具１３は、弾発スプリング１３５を介装したボルト１３１とナット１３２、又は弾発スプリング１３５を介装したリベット１３３から構成されていることを特徴とするものである。
【０００９】
本発明品を用いれば、土台把持片１１とスラブ固定片１２の各々に設けた折曲部１１３と折曲部１２１間が、弾発スプリング１３５を介装した連結具１３を用いて接続されるので、その緩衝効果により、地震等で家屋の土台構造部分に衝撃振動が加わっても、家屋の損壊を防止できるようになっている。
【００１０】
【実施例】
本発明の土台接合具１は、図１及び図２に斜視図で示すように、土台把持片１１とスラブ固定片１２、及びこれらを接続する連結具１３とから構成される。
即ち、上記土台把持片１１は、木製土台Ｘの上面を覆い且つ先端に折曲部１１３を備えた上面板１１１と、この上面板１１１に一体に交差して、木製土台Ｘの側面を覆い且つ先端に折曲部１１３を備えた側面板１１２とからなり、上記上面板１１１と側面板１１２には適宜数の固定孔１１５が穿設されると共に、側面板１１２の折曲部１１３には連結具挿通孔１１４が穿設される。
【００１１】
上記土台接合具１の土台把持片１１は、図１に示すように、木製土台Ｘの上面を覆う上面板１１１と側面を覆う側面板１１２とを略Ｔ字状に交差させて、木製土台Ｘを片持ち状態で把持するようにしているが、図３に示すように、上面板１１１は両端に向かって漸次肉薄になるようにしてもよい。図３の形態によれば、上面板１１１と木製土台Ｘとの密着性を向上させることができる。
又、図４に示すように、上面板１１１と側面板１１２とは矩形板材を折曲しただけの形態であってもよく、その他種々形態をとってもよい。図４の形態によれば、製造コストを低減することができる。
さらに、図７に示すように、上面板１１１と側面板１１２とを十字状に交差させて、木製土台Ｘを鞍型状態で抱持するようにしてもよい。
【００１２】
そして、上記土台接合具１に接続するスラブ固定片１２は、基礎コンクリートスラブＹの側壁に固定するための固定孔１２３が適宜数穿設され、また、先端には折曲部１２１が形成されていると共に、この折曲部１２１には、上記土台把持片１１の折曲部１１３に穿設された連結具挿通孔１１４と符合する位置に、連結具挿通孔１２２が穿設される。
【００１３】
又、上記土台把持片１１とスラブ固定片１２とを接続する連結具１３は、図２及び図５に示すように、予め、弾発スプリング１３５を介装したボルト１３１を、上記土台把持片１１の折曲部１１３に穿設した連結具挿通孔１１４から、スラブ固定片１２の折曲部１２１に穿設された連結具挿通孔１２２に通したのち、折曲部１２１側でボルト１３１尻にナット１３２を螺合し締着して、土台把持片１１とスラブ固定片１２とを接続固定するようになっている。
【００１４】
連結具１３は、上記構造のものに限定されず、図６に断面図で示すように、予め、弾発スプリング１３５を介装したリベット１３３を、折曲部１１３に穿設した連結具挿通孔１１４から、折曲部１２１に穿設された連結具挿通孔１２２へ通したのち、折曲部１２１側でリベット１３３端にかしめ部１３４を形成して、土台把持片１１とスラブ固定片１２とを接続固定するようにしてもよい。
【００１５】
上記構成の土台接合具１を用いて、木製土台Ｘと基礎コンクリートスラブＹ間を接合するには、先ず、図２に示すように、土台把持片１１の上面板１１１を木製土台Ｘの上面に、側面板１１２を木製土台Ｘの側面に当接したのち、この上面板１１１及び側面板１１２に穿設した固定孔１１５に釘、木ネジ、ボルト等の締結部材１１６を打ち込んで、土台把持片１１を木製土台Ｘに固着しておく。
【００１６】
次いで、土台把持片１１の折曲部１１３に、スラブ固定片１２の折曲部１２１を当接して、両折曲部１１３，１２１に穿設した連結具挿通孔１１４，１２２を符合させたのち、弾発スプリング１３５を介装したボルト１３１又はリベット１３３を、連結具挿通孔１１４側から連結具挿通孔１２２に通して、ナット１３２締めし又はかしめ部１３４を形成することにより、土台把持片１１の折曲部１１３とスラブ固定片１２の折曲部１２１間を連結しておく。
【００１７】
そして、図２に示すように、スラブ固定片１２に穿設した固定孔１２３を介して基礎コンクリートスラブＹの側壁に予め形成した穿孔にアンカーボルト１２４を挿入し、嵌装軸１２５の螺子部１２５ａにナット１２７を螺合させ、回転して外筒体１２６を押圧し、嵌装軸１２５の膨大部１２５ｂにより外筒体１２６の割溝部１２６ａを拡開させ、スラブ固定片１２を基礎コンクリートスラブＹに固着する。
【００１８】
或いは、土台接合具１の土台把持片１１を木製土台Ｘに固着すると共に、土台把持片１１の連結具挿通孔１１４に符合する位置にスラブ固定片１２の連結具挿通孔１２２を位置させた状態で、スラブ固定片１２を基礎コンクリートスラブＹの側壁に固着しておき、次いで、土台把持片１１とスラブ固定片１２を連結具１３で連結し、木製土台Ｘと基礎コンクリートスラブＹ間の接合作業を完了する。
【００１９】
本発明の土台接合具１は、家屋の木製土台Ｘを把持乃至抱持してこれに固着される土台把持片１１と、基礎コンクリートスラブＹに固着されるスラブ固定片１２とが、弾発スプリング１３５を介装した連結具１３により接続固定されるので、地震等で家屋の土台構造部分に衝撃振動が加わっても、連結具１３の弾発スプリング１３５による緩衝効果によって振動が吸収されて、土台構造部分の破壊、延いては家屋の損壊を防止することができるという作用効果を奏する。
【図面の簡単な説明】
【図１】本発明の土台接合具の一実施例を示す斜視図である。
【図２】図１の土台接合具を分解した状態を示す斜視図である。
【図３】本発明の土台接合具の他実施例を示す斜視図である。
【図４】本発明の土台接合具の他実施例を示す斜視図である。
【図５】本発明で使用する連結具の一例を示す断面図である。
【図６】本発明で使用する連結具の他例を示す断面図である。
【図７】本発明の土台接合具の他実施例を示す断面図である。
【図８】従来技術の一例を示す側面図である。
【符号の説明】
１      土台接合具
１１    土台把持片
１１１  上面板
１１２  側面板
１１３  折曲部
１１４  連結具挿通孔
１１５  固定孔
１１６  締結部材
１２    スラブ固定片
１２１  折曲部
１２２  連結具挿通孔
１２３  固定孔
１２４  固定ボルト
１２５  ブシュ
１３    連結具
１３１  ボルト
１３２  ナット
１３３  リベット
１３４  かしめ部
１３５  弾発スプリング
Ｘ      木製土台
Ｙ      基礎コンクリートスラブ
【図１】
0004514870.tif 000002
【図２】
0004514870.tif 000003
【図３】
0004514870.tif 000004
【図４】
0004514870.tif 000005
【図５】
0004514870.tif 000006
【図６】
0004514870.tif 000007
【図７】
0004514870.tif 000008
【図８】
0004514870.tif 000009